【手続補正書】
【提出日】平成26年9月19日(2014.9.19)
【手続補正１】
【補正対象書類名】明細書
【補正対象項目名】０１０７
【補正方法】変更
【補正の内容】
【０１０７】
明らかに、本明細書に前記された本発明の多くの改変と変更は、本発明の精神と範囲を逸脱することなく行うことができるため、添付の請求の範囲により示されるようなそうした限定のみが、課されることが好ましい。
（態様）
（態様１）
（ａ）カチオン性活性成分と、
（ｂ）四級化された糖から誘導された界面活性剤と、
（ｃ）水または他の好適な希釈剤と、
を含んで成る、抗菌性硬表面クリーナー組成物。
（態様２）
該組成物が、約０．５ｗｔ％〜約２０ｗｔ％のカチオン性活性成分を含む、態様１に記載の組成物。
（態様３）
該組成物が、約５０ｐｐｍ〜約５、０００ｐｐｍのカチオン性活性成分を含む、態様１に記載の組成物。
（態様４）
該カチオン性活性成分が、ビグアニドの塩、置換ビグアニド誘導体、第四級アンモニウム含有化合物の有機塩または第四級アンモニウム含有化合物の無機塩からなる群から選択される、態様１に記載の組成物。
（態様５）
該組成物が、約０．２ｗｔ％〜約５０ｗｔ％の四級化された糖から誘導された界面活性剤を含む、態様１に記載の組成物。
（態様６）
該組成物が、約５０ｐｐｍ〜約２、５００ｐｐｍの四級化された糖から誘導された界面活性剤を含む、態様１に記載の組成物。
（態様７）
該四級化された糖から誘導された界面活性剤が、四級化アルキルポリグルコシドまたはポリ四級化アルキルポリグルコシドである、態様１に記載の組成物。
（態様８）
該組成物が、起泡力増進界面活性剤をさらに含む、態様１に記載の組成物。
（態様９）
該組成物が、約１８ｗｔ％までの起泡力増進界面活性剤を含む、態様８に記載の組成物。
（態様１０）
該組成物が、約３、５００ｐｐｍまでの起泡力増進界面活性剤を含む、態様８に記載の組成物。
（態様１１）
該起泡力増進界面活性剤が、非イオン性界面活性剤、両性界面活性剤、アニオン性界面活性剤、またはカチオン性界面活性剤からなる群から選択される、態様８に記載の組成物。
（態様１２）
該非イオン性界面活性剤が、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む、態様１１に記載の組成物。
（態様１３）
該両性界面活性剤が、イミダゾリンおよびイミダゾリン誘導体、イセチオネート、ベタイン誘導体、またはアンフォアセテート誘導体を含む、態様１１に記載の組成物。
（態様１４）
該アニオン性界面活性剤が、サルコシン誘導体、コハク酸誘導体、カルボキシル化アルコール、アルキル硫酸塩およびアルキルエーテル硫酸塩、スルホン酸誘導体またはジフェニルスルホネート誘導体またはアルキルアリールスルホン酸誘導体を含む、態様１１に記載の組成物。
（態様１５）
該カチオン性界面活性剤が、四級化ポリサッカロイド、アルキルポリサッカロイド、アルコキシル化アミン、アルコキシル化エーテルアミン、リン脂質およびリン脂質誘導体を含む、態様１１に記載の組成物。
（態様１６）
該組成物が、水または他の好適な希釈剤を用いて希釈されて、使用溶液を生成する、態様１に記載の組成物。
（態様１７）
該組成物が、約７．０〜約１２．０のｐＨ範囲を有する、態様１に記載の組成物。
（態様１８）
該組成物が、約４０ｗｔ％までのキレート剤およびｐＨ添加物等の補助剤をさらに含む、態様１に記載の組成物。
（態様１９）
該組成物が、約５０ｐｐｍ〜約１０、０００ｐｐｍのキレート剤およびｐＨ添加物等の補助剤をさらに含む、態様１に記載の組成物。
（態様２０）
該組成物が、高殺生活性を示す、態様１に記載の組成物。
（態様２１）
該組成物が、大量の泡および泡安定性を提供する、態様１に記載の組成物。
（態様２２）
該組成物が、減少した組織刺激可能性を示す、態様１に記載の組成物。
（態様２３）
該組成物が、トリクロサン（２、４、４’’−トリクロロ−２’’−ヒドロキシ−ジフェニルエーテル）を含まない、態様１に記載の組成物。
（態様２４）
カチオン性活性成分：四級化された糖界面活性剤：起泡力増進界面活性剤の相対的質量比が、約１：０．２：０．２〜約１：３：８である、態様１に記載の組成物。
（態様２５）
硬表面から汚れを除去する方法であって、
（ａ）水または他の好適な希釈剤を用いて態様１の組成物を希釈して、使用溶液を生成させる工程と、
（ｂ）該表面と、該使用溶液とを接触させる工程と、
を含んで成る、方法。
（態様２６）
硬表面上の細菌の個体数、微生物の個体数、殺菌性個体数またはウイルスの個体数を減少させる方法であって、
（ａ）水または他の好適な希釈剤を用いて態様１の組成物を希釈して、使用溶液を生成させる工程と、
（ｂ）該硬表面と使用溶液とを充分な時間接触させて、実質的な、細菌の減少、微生物の減少、殺菌性の減少またはウイルスの減少を提供する工程と、
を含んで成る、方法。
（態様２７）
硬表面上の細菌の個体数、微生物の個体数、殺菌性個体数またはウイルスの個体数を減少させる方法であって、
該方法が、該硬表面と抗菌性組成物とを充分な時間接触させることにより、実質的な、バクテリアの減少、微生物の減少、殺菌性の減少またはウイルスの減少を提供する工程を含み、
該抗菌性組成物が、
（ａ）カチオン性活性成分と、
（ｂ）四級化された糖から誘導された界面活性剤と、
（ｃ）水または他の好適な希釈剤と、
を含んで成る、方法。
（態様２８）
該組成物が、約０．５ｗｔ％〜約２０ｗｔ％のカチオン性活性成分を含む、態様２７に記載の方法。
（態様２９）
該組成物が、約５０ｐｐｍ〜約５０００ｐｐｍのカチオン性活性成分を含む、態様２７に記載の方法。
（態様３０）
該カチオン性活性成分が、ビグアニドの塩、置換ビグアニド誘導体、第四級アンモニウム含有化合物の有機塩または第四級アンモニウム含有化合物の無機塩からなる群から選択される、態様２７に記載の方法。
（態様３１）
該組成物が、約０．２ｗｔ％〜約５０ｗｔ％の四級化された糖から誘導された界面活性剤を含む、態様２７に記載の方法。
（態様３２）
該組成物が、約５０ｐｐｍ〜約２５００ｐｐｍの四級化された糖から誘導された界面活性剤を含む、態様２７に記載の方法。
（態様３３）
該四級化された糖から誘導された界面活性剤が、四級化アルキルポリグルコシドまたはポリ四級化アルキルポリグルコシドである、態様２７に記載の方法。
（態様３４）
該組成物が、起泡力増進界面活性剤をさらに含む、態様２７に記載の方法。
（態様３５）
該組成物が、約０．２ｗｔ％〜約１８ｗｔ％の起泡力増進界面活性剤を含む、態様３４に記載の起泡力増進界面活性剤。
（態様３６）
該組成物が、約０ｐｐｍ〜約３、５００ｐｐｍの起泡力増進界面活性剤を含む、態様３４に記載の起泡力増進界面活性剤。
（態様３７）
該起泡力増進界面活性剤が、非イオン性界面活性剤、両性界面活性剤、アニオン性界面活性剤、またはカチオン性界面活性剤からなる群から選択される、態様３４に記載の起泡力増進界面活性剤。
（態様３８）
該非イオン性界面活性剤が、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む、態様３７に記載の起泡力増進界面活性剤。
（態様３９）
該両性界面活性剤が、イミダゾリンおよびイミダゾリン誘導体、イセチオネート、ベタイン誘導体、またはアンフォアセテート誘導体を含む、態様３７に記載の起泡力増進界面活性剤。
（態様４０）
該アニオン性界面活性剤が、サルコシン誘導体、コハク酸誘導体、カルボキシル化アルコール、アルキル硫酸塩およびアルキルエーテル硫酸塩、スルホン酸誘導体またはジフェニルスルホネート誘導体またはアルキルアリールスルホン酸誘導体を含む、態様３７に記載の起泡力増進界面活性剤。
（態様４１）
該カチオン性界面活性剤が、四級化ポリサッカロイド、アルキルポリサッカロイド、アルコキシル化アミン、アルコキシル化エーテルアミン、リン脂質およびリン脂質誘導体を含む、態様３７に記載の起泡力増進界面活性剤。
（態様４２）
該組成物が、水または他の好適な希釈剤を用いて希釈されて、使用溶液を生成する、態様２７に記載の方法。
（態様４３）
該組成物が、約６．０〜約１２．０のｐＨ範囲を有する、態様２７に記載の方法。
（態様４４）
該組成物が、約４０ｗｔ％までのキレート剤およびｐＨ添加物等の補助剤をさらに含む、態様２７に記載の方法。
（態様４５）
該組成物が、約５０ｐｐｍ〜約１０、０００ｐｐｍのキレート剤およびｐＨ添加物等の補助剤をさらに含む、態様２７に記載の方法。
（態様４６）
該組成物が、高殺生活性を示す、態様２７に記載の方法。
（態様４７）
該組成物が、大量の泡および泡安定性を提供する、態様２７に記載の方法。
（態様４８）
該組成物が、減少した組織刺激可能性を示す、態様２７に記載の方法。
（態様４９）
該組成物が、トリクロサン（２、４、４’’−トリクロロ−２’’−ヒドロキシ−ジフェニルエーテル）を含まない、態様２７に記載の方法。
（態様５０）
カチオン性活性成分：四級化された糖界面活性剤：起泡力増進界面活性剤の相対的な質量比が、約１：０．２：０．２〜約１：３：８である、態様２７に記載の方法。
【手続補正２】
【補正対象書類名】特許請求の範囲
【補正対象項目名】全文
【補正方法】変更
【補正の内容】
【特許請求の範囲】
【請求項１】
（ａ）ビグアニドの塩、置換ビグアニド誘導体、第四級アンモニウム含有化合物の有機塩または第四級アンモニウム含有化合物の無機塩からなる群から選択される、約０．５ｗｔ％〜約２０ｗｔ％のカチオン性活性成分と、
（ｂ）式：
【化１】
2014500887.tif 000001
（式中、ｎは４〜６の整数である。）のポリ四級アルキルポリグルコシド、または、
式：
【化２】
2014500887.tif 000002
（式中、ｎは１〜２の重合度である。）の四級官能化アルキルポリグルコシドである、約０．２ｗｔ％〜約５０ｗｔ％の四級化された糖から誘導された界面活性剤と、
（ｃ）水または他の好適な希釈剤と、
（ｄ）約１８ｗｔ％までの量の起泡力増進界面活性剤であって、該起泡力増進界面活性剤が非イオン性界面活性剤、カチオン性界面活性剤、両性界面活性剤およびそれらの組み合わせからなる群から選択され、該両性界面活性剤がイミダゾリン、イミダゾリン誘導体、イセチオネート及びそれらの組み合わせからなる群から選択される、起泡力増進界面活性剤と、
を含み、
カチオン性活性成分：四級化された糖から誘導された界面活性剤：起泡力増進界面活性剤の相対的質量比が、約１：０．２：０．２〜約１：３：８であり、
該組成物が約２８０ｍｌ〜約３５０ｍｌの泡の高さを提供し、
該組成物にはアニオン性界面活性剤または低級アルコールがなく、
該組成物が殺生活性を示し、
該組成物には、トリクロサン（２、４、４’’−トリクロロ−２’’−ヒドロキシ−ジフェニルエーテル）がなく、
該組成物が、約７．０〜約１２．０のｐＨ範囲を有する、
抗菌性硬表面クリーナー組成物。
【請求項２】
該組成物が、約２ｗｔ％〜約１８ｗｔ％のカチオン性活性成分を含む、請求項１に記載の組成物。
【請求項３】
該組成物が、約５０ｐｐｍ〜約５、０００ｐｐｍのカチオン性活性成分を含む、請求項１に記載の組成物。
【請求項４】
該組成物が、約０．５ｗｔ％〜約１２ｗｔ％の四級化された糖から誘導された界面活性剤を含む、請求項１に記載の組成物。
【請求項５】
該組成物が、約５０ｐｐｍ〜約２、５００ｐｐｍの四級化された糖から誘導された界面活性剤を含む、請求項１に記載の組成物。
【請求項６】
該四級化アルキルポリグルコシドのＲが約６個〜約１２個の炭素原子を有するアルキル基であり、そしてポリ四級化されたアルキルポリグリコシドのＲ１が約６個〜約２２個の炭素原子を有するアルキル基であり、該ポリ四級化アルキルポリグルコシドのＲ２がＣＨ３（ＣＨ２）ｘ（式中，ｘは０〜２１の範囲の整数である。）である、請求項１に記載の組成物。
【請求項７】
該組成物が、約９ｗｔ％までの起泡力増進界面活性剤を含む、請求項１に記載の組成物。
【請求項８】
該組成物が、約３、５００ｐｐｍまでの起泡力増進界面活性剤を含む、請求項１に記載の組成物。
【請求項９】
該非イオン性界面活性剤が、アルキルアミンオキシド、アルキルエーテルアミンオキシド、アルキルアルコールアルコキシレート、アリールアルコールアルコキシレート、置換アルコールアルコキシレート、ブロック非イオン性コポリマー、ヘテリック非イオン性コポリマー、アルカノールアミド、またはポリエトキシル化グリセロールエステルを含む、請求項１に記載の組成物。